(57)【特許請求の範囲】
【請求項１】
光学ピックアップ装置が搭載されたスライド部材を移動可能に支持する一対のガイド軸が設けられたベースユニットシャーシと、
上記スライド部材に取り付けられた送りナットが係合される送りネジ軸と、
上記送りネジ軸を回転駆動する送りモータと、
上記送りモータを覆うように上記ベースユニットシャーシに取り付けられるベースユニットサブシャーシと、を備えたディスクドライブ装置において、
上記ベースユニットシャーシには、上記送りモータが収納される凹陥部と上記送りネジ軸が両端支持される一対の第１の軸受部とを有するモータ収納部を設け、
上記モータ収納部に上記送りモータ及び送りネジ軸を収納した後上記ベースユニットサブシャーシを取り付けることにより当該ベースユニットサブシャーシで送りネジ軸を支持すると共に送りモータを押さえて固定するようにし、
上記モータ収納部の上記一対の第１の軸受部は、上記凹陥部を囲う面部に対向させて形成すると共に、当該凹陥部内に収納された上記送りモータと重なり合うよう上記送りネジ軸を配置したことを特徴とするディスクドライブ装置。
【請求項２】
上記モータ収納部には、上記送りモータの回転数を検出する回転数検出センサのための凸部又は凹部を設けると共に、この凸部又は凹部が嵌合される嵌合孔又は嵌合突起を当該回転数検出センサに設け、当該凸部又は凹部に嵌合孔又は嵌合突起を嵌合させて回転数検出センサを保持したことを特徴とする請求項１記載のディスクドライブ装置。
【請求項３】
上記凸部又は凹部に上記嵌合孔又は嵌合突起を嵌合させて上記回転数検出センサを保持した状態において、上記ベースユニットシャーシに上記ベースユニットサブシャーシを取り付けることにより当該回転数検出センサを固定するようにしたことを特徴とする請求項２記載のディスクドライブ装置。
【請求項４】
光学ピックアップ装置が搭載されたスライド部材を移動可能に支持する一対のガイド軸が設けられたベースユニットシャーシと、
上記スライド部材に取り付けられた送りナットが係合される送りネジ軸と、
上記送りネジ軸を回転駆動する送りモータと、
上記送りモータを覆うように上記ベースユニットシャーシに取り付けられるベースユニットサブシャーシと、を備えたディスクドライブ装置において、
上記ベースユニットシャーシに上記送りモータが収納される凹陥部と上記送りネジ軸が両端支持される一対の第１の軸受部とを有するモータ収納部を設けると共に、当該モータ収納部に装着されて送りモータを覆うモータカバーを設け、
上記モータ収納部に上記送りモータ及び送りネジ軸を収納した後上記ベースユニットサブシャーシを取り付けることにより当該ベースユニットサブシャーシで送りネジ軸を支持すると共に上記モータカバーを介して送りモータを押さえて固定するようにし、
上記モータ収納部の上記一対の第１の軸受部は、上記凹陥部を囲う面部に対向させて形成すると共に、当該凹陥部内に収納された上記送りモータと重なり合うよう上記送りネジ軸を配置したことを特徴とするディスクドライブ装置。
【請求項５】
上記モータ収納部には、上記送りモータの回転数を検出する回転数検出センサのための凸部又は凹部を設けると共に、この凸部又は凹部が嵌合される嵌合孔又は嵌合突起を当該回転数検出センサに設け、当該凸部又は凹部に嵌合孔又は嵌合突起を嵌合させて回転数検出センサを保持したことを特徴とする請求項４記載のディスクドライブ装置。
【請求項６】
上記モータカバーは、上記送りモータの胴部を押圧するカバー本体と、当該送りモータの回転軸の突出側を支持するモータ軸受部を押圧するネック部と、を有することを特徴とする請求項５記載のディスクドライブ装置。
【請求項７】
上記モータカバーの上記カバー本体には、上記送りモータの胴部に接触される一対の勾配面を有するモータ受け部を設けたことを特徴とする請求項５記載のディスクドライブ装置。
【発明の詳細な説明】
【０００１】
【発明の属する技術分野】
本発明は、光ディスクや光磁気ディスク、磁気ディスク等のディスク状記録媒体を回転駆動すると共に、このディスク状記録媒体の情報記録面に沿ってピックアップ装置の記録及び／又は再生ヘッドを移動させて情報信号の記録（書込み）及び／又は再生（読取り）を行うディスクドライブ装置に関するものである。
【０００２】
【従来の技術】
従来、一般に、ＣＤ（コンパクトディスク）やＣＤ−ＲＯＭ（リードオンリメモリ）等の光ディスク、ＭＤ（ミニディスク）等の光磁気ディスク、或いはＦＤ（フロッピィディスク）等の磁気ディスクその他のディスク状記録媒体を用いて情報信号の記録及び／又は再生を行う装置として、ディスクドライブ装置が提供されている。このようなディスクドライブ装置としては、例えば、図２９に示すような構成のものが知られている。
【０００３】
このディスクドライブ装置は、スピンドルモータの回転軸に取り付けられたターンテーブル上に光学ディスクを水平に装着して回転駆動すると共に、光学ピックアップ装置の光学ヘッドによってレーザ光を光学ディスクの情報記録面に照射している。そして、光学ヘッドを光学ディスクの中心から半径方向外側に向かって移動させ、この光学ヘッドにより情報記録面に情報信号を書き込んだり、予め情報記録面に記録されている情報信号を読み出すことにより、情報の記録及び／又は再生を行うようにしている。
【０００４】
このディスクドライブ装置１は、ベースユニットシャーシ２とスピンドルモータ３とターンテーブル４と光学ピックアップ装置５と送りネジ軸６と送りモータ７等を備えて構成されている。ベースユニットシャーシ２は長方形の薄い板金からなり、これには四角形の開口部８が設けられている。このベースユニットシャーシ２の長手方向一方の下面には、回転軸を上方へ突出させた状態でスピンドルモータ３が取り付けられている。このスピンドルモータ３の回転軸には、光学ディスクが装着されるターンテーブル４が固定されている。
【０００５】
また、ベースユニットシャーシ２には、互いに平行をなす２本のガイド軸９，９が所定の隙間をあけて開口部８を跨ぐように取り付けられている。これらのガイド軸９，９には、光学ピックアップ装置５のスライド部材１０が摺動可能に支持されている。スライド部材１０には送りナットが設けられており、この送りナットが送りネジ軸６に係合されている。送りネジ軸６は、一対の軸受片１１ａ，１１ｂを介してベースユニットシャーシ２に回動可能に両端支持されている。更に、送りネジ軸６には従動プーリ１２が固定されていて、この従動プーリ１２には無端状に連続したゴムベルト１３の一端が掛けられている。このゴムベルト１３の他端は、送りモータ７の回転軸に固定された駆動プーリ１４に掛けられている。そして、送りモータ７は、固定ネジ等の固着手段によってベースユニットシャーシ２に固定されている。
【０００６】
【発明が解決しようとする課題】
しかしながら、このような構成を有する従来のディスクドライブ装置においては、送りネジ軸６と送りモータ７と２本のガイド軸９，９とをそれぞれ別個独立に支持して固定する構成となっていたため、これらの部品を支持固定するための部品点数が多くなって不経済であるばかりでなく、組立工数も増えて組立性、生産性が悪いという課題があった。
【０００７】
即ち、送りネジ軸６が一対の軸受片１１ａ，１１ｂによってベースユニットシャーシ２に支持されているばかりでなく、２本のガイド軸９，９も、それぞれ両端部が軸受片１５，１５によってベースユニットシャーシ２に支持されている。そして、各軸受片１１ａ，１１ｂ及び１５，１５は、それぞれ固定ネジによってベースユニットシャーシ２に締付固定されている。更に、送りモータ７は、同じく別個の固定ネジを使用してベースユニットシャーシ２に独立に締付固定されている。
【０００８】
本発明は、このような従来の課題に鑑みてなされたものであり、送りモータや送りネジ軸、少なくとも一方のガイド軸等をベースユニットシャーシの所定位置に収納し、これらの上にベースユニットサブシャーシで蓋をするようにして覆った後、このベースユニットサブシャーシを固定ネジ等の固着手段で固定することにより、これらの部品を固定できるようにして、上述した従来の課題を解決することを目的としている。
【０００９】
【課題を解決するための手段】
上述したような課題を解決し、上記目的を達成するために、本出願のディスクドライブ装置は、光学ピックアップ装置が搭載されたスライド部材を移動可能に支持する一対のガイド軸が設けられたベースユニットシャーシと、上記スライド部材に取り付けられた送りナットが係合される送りネジ軸と、上記送りネジ軸を回転駆動する送りモータと、上記送りモータを覆うように上記ベースユニットシャーシに取り付けられるベースユニットサブシャーシと、を備えたディスクドライブ装置において、上記ベースユニットシャーシには、上記送りモータが収納される凹陥部と上記送りネジ軸が両端支持される一対の第１の軸受部とを有するモータ収納部を設け、上記モータ収納部に上記送りモータ及び送りネジ軸を収納した後上記ベースユニットサブシャーシを取り付けることにより当該ベースユニットサブシャーシで送りネジ軸を支持すると共に送りモータを押さえて固定するようにし、
上記モータ収納部の上記一対の第１の軸受部は、上記凹陥部を囲う面部に対向させて形成すると共に、当該凹陥部内に収納された上記送りモータと重なり合うよう上記送りネジ軸を配置したことを特徴としている。
【００１０】
また、本出願のディスクドライブ装置は、光学ピックアップ装置が搭載されたスライド部材を移動可能に支持する一対のガイド軸が設けられたベースユニットシャーシと、上記スライド部材に取り付けられた送りナットが係合される送りネジ軸と、上記送りネジ軸を回転駆動する送りモータと、上記送りモータを覆うように上記ベースユニットシャーシに取り付けられるベースユニットサブシャーシと、を備えたディスクドライブ装置において、上記ベースユニットシャーシに上記送りモータが収納される凹陥部と上記送りネジ軸が両端支持される一対の第１の軸受部とを有するモータ収納部を設けると共に、当該モータ収納部に装着されて送りモータを覆うモータカバーを設け、上記モータ収納部に上記送りモータ及び送りネジ軸を収納した後上記ベースユニットサブシャーシを取り付けることにより当該ベースユニットサブシャーシで送りネジ軸を支持すると共に上記モータカバーを介して送りモータを押さえて固定するようにし、上記モータ収納部の上記一対の第１の軸受部は、上記凹陥部を囲う面部に対向させて形成すると共に、当該凹陥部内に収納された上記送りモータと重なり合うよう上記送りネジ軸を配置したことを特徴としている。
【００１１】
上述のように構成したことにより、本出願のディスクドライブ装置では、ベースユニットシャーシの凹陥部に送りモータを収納して組付けると共に、一対の軸受部に送りネジ軸を組付けた後、ベースユニットサブシャーシを取り付けることにより、ベースユニットサブシャーシで送りモータ及び送りネジ軸を押さえて固定することができ、個々の部品毎に固定手段を必要とすることなく、ベースユニットサブシャーシをベースユニットシャーシに取り付けるだけで送りモータ及び送りネジ軸を同時に固定することができる。
【００１２】
また、本出願のディスクドライブ装置では、上述した構成に加えてモータカバーを設けることにより、衝撃力によっても送りモータが動くことなくしっかりと固定され、衝撃に強いモータの支持構造を備えたディスクドライブ装置を提供することができる。
【００１３】
【発明の実施の形態】
以下、本発明の実施の形態を添付図面を参照して説明する。図１〜図２８は、本発明のディスクドライブ装置の第１の実施例を示すものである。即ち、図１はディスクドライブ装置の一実施例を上面側から見た斜視図、図２は同じく平面図、図３は正面図、図４は底面図、図５は図４からベースユニットサブシャーシを取り除いた要部を拡大して示す説明図、図６は図４からモータベース板を取り除いた底面図、図７は要部を断面して示す背面図、図８は図２のＷ−Ｗ線断面図、図９は図２のＸ−Ｘ線断面図、図１０は左側面図、図１１は図２のＹ−Ｙ線断面図、図１２は図２のＺ−Ｚ線断面図、図１３は図２からベースユニットシャーシを取り除いた平面図、図１４は図１３のスピンドルモータ及び光学ピックアップ装置を示す正面図である。
【００１４】
更に、図１５は本発明のディスクドライブ装置が用いられたデジタルビデオディスクカメラの側面図、図１６は同じく平面図、図１７は同じく分解斜視図、図１８は図１に示すディスクドライブ装置をベースフレームに取り付けた平面図、図１９は同じく正面図である。
【００１５】
図２０〜図２８は、本発明のディスクドライブ装置の第２の実施例の要部を示すものである。即ち、図２０は第２の実施例に係るディスクドライブ装置の図９に対応した断面図、図２１は図２０においてベースユニットサブシャーシの外面を示す断面図、図２２は図１１に対応した断面図、図２３は図２２の要部を拡大して示す説明図、図２４は図１２に対応した断面図、図２５は図２４の要部を拡大して示す説明図、図２６は第２の実施例に係るディスクドライブ装置に用いられるモータカバーの一実施例を示す底面側から見た斜視図、図２７は同じく平面側から見た斜視図、図２８Ａ，Ｂ，Ｃ及びＤは同じく底面図、正面図、左側面図及びＶ−Ｖ線断面図である。
【００１６】
本発明の第１の実施例として示すディスクドライブ装置２０は、ディスク状記録媒体として、オーディオ情報等の音楽信号やビデオ情報等の映像信号及び音楽信号等の情報信号が予め記録された再生専用型の光ディスク、或いはオーディオ情報やビデオ情報等の情報信号が１度だけ記録可能（追記型）若しくは何度でも繰り返して記録可能（書換え型）とされた記録可能型の光ディスクＤを用いることができる。しかしながら、ディスク状記録媒体としては、これに限定されるものではなく、薄い円盤の表面に磁性薄膜層を形成して特定位置の磁化状態により情報を記憶するようにした磁気ディスク、同様に形成した磁性薄膜層に光ヘッドと磁気ヘッドを使用して情報を書き込み及び読み出すようにした光磁気ディスクその他の記憶媒体を適用することができることは勿論である。
【００１７】
このディスクドライブ装置２０は、図１〜図４に示すように、ベースユニットシャーシ２１とベースユニットサブシャーシ２２とスピンドルモータ２３とターンテーブル２４と光学ピックアップ装置２５と送りネジ軸２６と送りモータ２７等を備えて構成されている。ベースユニットシャーシ２１は、平板状の平面部２１ａと、この平面部２１ａの周囲を囲うように外周縁に沿って下面側に突出させて設けた正面壁部２１ｂ、背面壁部２１ｃ及び左右の側面壁部２１ｄ，２１ｅとを有し、全体として底の浅い蓋体のような形状とされている。
【００１８】
図１及び図２に示すように、ベースユニットシャーシ２１の平面部２１ａの略中央部には、左右方向へ延びる略長方形をなすヘッド用の開口部２８が設けられている。更に、平面部２１ａのヘッド用開口部２８の長手方向の一方には円形の貫通孔２９が設けられている。そして、平面部２１ａのヘッド用開口部２８の長手方向と交差する方向の一方である背面側には、同じく左右方向へ延びる長方形のバネ用開口部３０が設けられている。このベースユニットシャーシ２１の下面には、図５及び図６に示すように、スピンドルモータ２３が取り付けられるＵ字状に形成された内壁部３１と、送りモータ２７等が収納されるモータ収納部３２と、背面側のサブガイド軸３３とが設けられている。
【００１９】
ベースユニットシャーシ２１の内壁部３１は貫通孔２９の下面に重なり合うように形成されている。この内壁部３１は、開口部２８と反対側の内周縁においてスピンドルモータ２３の外周面の半分を囲うように形成された内周面壁３１ａと、この内周面壁３１ａの両端に連続して開口部２８側に延在された互いに平行をなす風通路壁３１ｂ，３１ｂとからなる。この内周面壁３１ａと風通路壁３１ｂ，３１ｂとを有する内壁部３１により、後述するフィン等の回転に基づき空気を吸い込んで吐き出すことにより発生された風を導いて発熱体である光学ピックアップ装置２５等に吹き付けて冷却する風通路３５が形成されている。
【００２０】
また、図６に示すように、内壁部３１には、スピンドルモータ２３が固定されたモータベース板３６を支持する３箇所の支持凸部３７ａ，３７ｂ，３７ｃと、そのモータベース板３６を平面方向の所定位置に位置決めする２箇所の位置決め突起３８ａ，３８ｂとが設けられている。第１の支持凸部３７ａは、内壁部３１の内周面壁３１ａの前端縁と前側の風通路壁３１ｂとが連続する部分に設定されている。この第１の支持凸部３７ａの中央部には第１の位置決め突起３８ａが一体に設けられている。そして、第２及び第３の支持凸部３７ｂ，３７ｃの中央部にはネジ孔がそれぞれ設けられている。
【００２１】
更に、第１の位置決め突起３８ａの貫通孔２９を挟んで反対側には、第２の位置決め突起３８ｂが配置されている。この第２の位置決め突起３８ｂの風通路壁３１ｂ側には第３の支持凸部３７ｃが配置されている。そして、第２の支持凸部３７ｂは、第１の位置決め突起３８ａと第２の位置決め突起３８ｂとの中間部から直交する方向に延びた線と内壁部３１とが交わる位置に配置されている。これら第２及び第３の支持凸部３７ｂ，３７ｃには、図７及び図１１に示すように、コイルバネ３９がそれぞれ緩く嵌合されている。これらのコイルバネ３９を介してモータベース板３６が姿勢変更可能に取り付けられている。
【００２２】
モータベース板３６は板金製の薄い板材からなり、これにより、全体に弾性を持たせて撓み変形が可能とされている。このモータベース板３６の中央部には、スピンドルモータ２３の固定部２３ａが嵌合される嵌合孔３６ａが設けられている。更に、モータベース板３６には、第１及び第２の位置決め突起３８ａ及び３８ｂが嵌合される第１及び第２の位置決め孔が設けられている。そして、第２及び第３の支持凸部３７ｂ，３７ｃと対応する位置には、調整ネジ４０のネジ部が挿通される挿通孔がそれぞれ設けられている。
【００２３】
図７及び図１１に示すように、スピンドルモータ２３は、モータベース板３６に嵌合されて固定される固定部２３ａと、この固定部２３ａに回転自在に支持される回転部２３ｂとから構成されている。スピンドルモータ２３の固定部２３ａは、例えば、円筒状の軸受スリーブと、この軸受スリーブ内に嵌合固定されたベアリングと、軸受スリーブの外部に嵌合固定された鉄芯等を有している。鉄芯は、円周方向に等角度間隔に設けられた複数の巻芯部を有し、各巻芯部には巻線が所定の巻数を巻き付けられている。
【００２４】
また、スピンドルモータ２３の回転部２３ｂは、例えば、固定部２３ａのベアリングに回転自在に支持された回転軸と、この回転軸を圧入することにより一体に固定された円筒であってリング状のロータ等を有している。ロータの内周面には、リング状をなす回転駆動用のマグネットが接着剤等の固着手段によって貼着固定されている。このマグネットは、鉄芯の巻芯部の数に対応した数の極数を有しており、円周方向に多極に磁化されている。例えば、巻芯部の数を９個とした場合、マグネットの極数は１２極となる（マグネットの極数＝巻芯部の数×４／３）。しかしながら、スピンドルモータ２３は、このような構成のものに限定されるものではない。
【００２５】
このスピンドルモータ２３の回転部２３ｂの中央部に設けられた回転軸２３ｃには、ターンテーブル２４が圧入等の固着手段により嵌合されて一体に構成されている。このターンテーブル２４は、光学ディスクＤのセンタ孔に嵌合される嵌合部２４ａと、この嵌合部２４ａの下端に連続されると共に光学ディスクＤが載置される載置部２４ｂと、この載置部２４ｂに載置された光学ディスクＤのセンタ孔を係止して抜け出しを防止する複数個のロック爪２４ｃ等を有している。ターンテーブル２４の嵌合部２４ａの直径は、光学ディスクＤのセンタ孔の内径よりも若干小径とされていて、センタ孔に対して出し入れ可能とされている。
【００２６】
また、ターンテーブル２４の嵌合部２４ａには３個のロック爪２４ｃが、周方向へ等角度間隔に配置されている。各ロック爪２４ｃは、コイルバネ等の弾性体（その他、板バネ、ゴム状弾性体等を適用することができる。）によって常時半径方向外側に付勢されている。即ち、３個のロック爪２４ｃの先端部は、光学ディスクＤのセンタ孔の周縁部を係止できるように嵌合部２４ａの外周面からそれぞれ外側へ適宜量だけ突出されており、これらのロック爪２４ｃによって光学ディスクＤがチャッキングされる。一方、３個のロック爪２４ｃを、それぞれ弾性体の付勢力に抗して嵌合部２４ａ内に押し込むことにより、ロック爪２４ｃによる光学ディスクＤのチャッキングを解除することができる。
【００２７】
このような光学ディスクＤのチャッキング及びその解除動作を容易にするため、各ロック爪２４ｃの先端部の上面及び下面には、それぞれ適当な大きさの傾斜部が設けられている。このターンテーブル２４によれば、３個のロック爪２４ｃの働きによって光学ディスクＤがチャッキングされ、その状態で一体的に回転駆動される。その一方、例えば、光学ディスクＤを斜めに傾けて引き起こし、その力でロック爪２４を後退させてセンタ孔から脱出させることにより、チャッキング状態を解除して光学ディスクＤを簡単に取り外すことができる。
【００２８】
このターンテーブル２４の載置部２４ｂには、摩擦抵抗の大きなゴム状弾性体やプラスチック等で形成されたディスク支持面２４ｄが設けられている。このディスク支持面２４ｄは、３個のロック爪２４ｃの働きによる押圧力を受けてセンタ孔の周縁部を弾性的に支持すると共に滑りを防止し、光学ディスクＤをターンテーブル２４と一体的に回転させる働きをなす。
【００２９】
このような構成を有するターンテーブル２４の下面には、複数枚のフィン４２が一体に設けられている。図６及び図７に示すように、フィン４２は、リング状をなす円筒体４４の外周面から半径方向外側に放射状に延在されている。この実施例では、フィン４２は８枚とされているが、フィンの枚数は７枚以下であってもよく、また、９枚以上であってもよい。このフィン４２はターンテーブル２４と一体に形成されているため、ターンテーブル２４の回転により同時にフィン４２が回転駆動される。このフィン４２を囲むように内壁部３１が設定されていて、風通路３５の一方が空気の吸込み側とされ、他方が風の吐出し側とされている。
【００３０】
このようなフィン４２の付いたターンテーブル２４を回転駆動するスピンドルモータ２３の電気回路は、モータベース板３６上に取り付けられたフレキシブル配線４５に接続されている。このフレキシブル配線４５の一部が側方から導出されて、図示しない電源回路等に接続されている。
【００３１】
図５、図９及び図１２に示すように、ベースユニットシャーシ２１のモータ収納部３２は、正面壁部２１ｂの外面部２１b1と平行に延在された横仕切り壁４６と、側面壁部２１ｄの内側に配置され且つ横仕切り壁４６と直交する方向に延びる縦仕切り壁４７とを有している。更に、正面壁部２１ｂは、外面部２１b1と平行をなす内面部２１b2と、この内面部２１b2と外面部２１b1との間を連結する横面部２１b3とを有している。この外面部２１b1と横面部２１b3と横仕切り壁４６と縦仕切り壁４７とで囲まれた四角形の空間部内がモータ収納部３２とされている。
【００３２】
送りモータ２７は、軸方向に細長く形成されたモータ本体２７ａと、このモータ本体２７ａに回転自在に支持された回転軸２７ｂとを有している。モータ本体２７ａは、外周面の２箇所を互いに平行に切り欠いたような二面幅部を有している。このモータ本体２７ａの二面幅部を外面部２１b1と横仕切り壁４６との間に圧入して挟み込むことにより、送りモータ２７がベースユニットシャーシ２１に設けられたモータ収納部３２の空間部内に挿入されて圧入固定されている。この送りモータ２７の回転軸２７ｂは、モータ本体２７ａの軸方向の一端から突出されていて、その突出側で首のように突出した軸受部がモータ軸受部２７ｃとされている。
【００３３】
更に、送りモータ２７の回転軸２７ｂは、縦仕切り壁４７に設けられた切欠き４７ａを貫通している。この回転軸２７ｂの突出部には、出力ギア４８と回転板５１とが取り付けられており、これらが回転軸２７ｂによって一体的に回転駆動される。回転板５１には、放射状に延びる多数のスリットが周方向に等角度間隔に設けられている。この回転板５１と検出センサ５２とによって回転数検出器５０が構成されている。この回転数検出器５０は、送りモータ２７の回転角度及び回転数を検出するもので、検出センサ５２は側面壁部２１ｄの内面に取り付けられている。即ち、側面壁部２１ｄの内面には、検出センサ５２を取り付けるための取付凸部５３が設けられている。
【００３４】
この検出センサ５２は、回転板５１の一部が挿入されるスリット状の切欠き溝５２ａを有している。この検出センサ５２の切欠き溝５２ａの両側には、発光素子と受光素子とが互いに対向するように内蔵されている。この発光素子から発射された光を回転板５１のスリットを介して受光素子により受光し、そのスリット間の遮光部によって遮光される回数を検出センサ５２で測定する。この遮光回数を測定することにより、回転数検出器５０によって送りモータ２７の回転軸２７ｂの回転角度及び回転数を検出することができる。
【００３５】
図５及び図１１に示すように、検出センサ５２には取付凸部５３が嵌合される嵌合孔５２ｂが設けられている。この嵌合孔５２ｂに取付凸部５３を嵌合することにより、検出センサ５２がベースユニットシャーシ２１に固定されている。この検出センサ５２が取付凸部５３を中心として回転変位するのを防止するため、図８に示すように、ベースユニットシャーシ２１には受け台７８が設けられている。そして、受け台７８の取付凸部５３から遠ざかる縁部には、検出センサ５２の抜け出しを防止する爪状の凸部７８ａが設けられている。この受け台７８に検出センサ５２を載せることにより、嵌合孔５２ｂが取付凸部５３に対して高さ方向に位置合わせされる。従って、受け台７８に検出センサ５２を載せた状態で横方向の力を加えることにより、簡単に嵌合孔５２ｂを取付凸部５３に嵌合させることができる。
【００３６】
更に、同じく検出センサ５２の抜け出し防止等を目的として、ベースユニットサブシャーシ２２にはストッパ片７９が設けられている。このストッパ片７９は、ベースユニットサブシャーシ２２の下面部２２ａから上方へ突出するように設けられている。その結果、図５及び図８に示すように、ベースユニットサブシャーシ２２をベースユニットシャーシ２１に組み立てることによりストッパ片７９が検出センサ５２の取付凸部５３と反対側に配置され、このストッパ片７９と側面壁部２１ｄとによって検出センサ５２が保持される。そのため、検出センサ５２が取付凸部５３から抜け出すおそれがなく、固定ネジのような固着手段を用いることなく確実に固定することができる。
【００３７】
また、送りモータ２７の回転軸２７ｂに固定された出力ギア４８には、駆動ギア５４が噛合されている。この駆動ギア５４は、送りネジ軸２６に圧入等の固着手段により固定されて一体的に設けられている。送りネジ軸２６は、送りモータ２７の軸方向の長さよりもやや長く形成されており、モータ本体２７ａよりも長く形成されたネジ部２６ａと、このネジ部２６ａの両側に連続された軸部２６ｂ，２６ｃとを有している。そして、軸部２６ｃのネジ部２６ａ側に、駆動ギア５４が嵌合されている。
【００３８】
送りネジ軸２６の一方の軸部２６ｂはベースユニットシャーシ２１の横面部２１b3に設けたＵ字状の第１の軸受部５５ａに係合されて回転自在に支持されている。この送りネジ軸２６の他方の軸部２６ｃはベースユニットシャーシ２１の側面壁部２１ｄに設けたＵ字状の第１の軸受部５５ｂに係合されて回転自在に支持されている。これら第１の軸受部５５ａ，５５ｂに軸部２６ｂ，軸部２６ｃを係合させることにより、送りネジ軸２６が送りモータ２７の下方に重ね合わされるように積層した状態で配置される。このとき、駆動ギア５４は出力ギア４８に噛合される。そして、ベースユニットシャーシ２１の外面部２１b1には、駆動ギア５４の一部を露出させる開口窓５６ａが設けられている。
【００３９】
この送りネジ軸２６のネジ部２６ａには、断面形状が三角形をなす三角歯が軸心線方向に螺旋状に連続するように設けられている。この送りネジ軸２６の内側には、軸心線が平行となるように一方のガイド軸６０が配置されている。このガイド軸６０の両端は、ベースユニットシャーシ２１の内面部２１b2の側部と縦仕切り壁４７とに設けられた一対の第２の軸受部５７ａ，５７ｂに係合されて支持されている。第２の軸受部５７ａ，５７ｂはコ字状に切り欠かれた凹部からなり、互いに対向するよう設けられていて、ガイド軸６０の出し入れが可能とされている。
【００４０】
ガイド軸６０は外周面が平滑にされた丸棒状の部材からなり、ピックアップ装置の一具体例を示す光学ピックアップ装置２５のスライド部材に摺動自在に挿通されている。このガイド軸６０と対をなす他方のガイド軸であるサブガイド軸３３が、図４及び図１２等に示すように、ベースユニットシャーシ２１の背面部に設けられている。
【００４１】
このサブガイド軸３３は、背面壁部２１ｃと一体に形成された丸棒状の部材からなり、側方に延びる連結部３３ａによって背面壁部２１ｃに連続されている。このサブガイド軸３３はガイド軸６０と平行をなすように設けられていて、送りネジ軸２６のネジ部２６ａと略同じ長さに設定されている。このサブガイド軸３３とガイド軸６０とによって光学ピックアップ装置２５が、ターンテーブル２４に対して所定範囲内において接近及び離反可能とされている。
【００４２】
光学ピックアップ装置２５は、図４及び図１３等に示すように、ガイド軸６０及びサブガイド軸３３にガイドされて摺動するスライド部材６１と、このスライド部材６１に載置されて往復移動される光学ピックアップ６２等を備えて構成されている。
【００４３】
スライド部材６１は、ガイド軸６０とサブガイド軸３３との間を跨ぐことができる大きさであって、剛性を高くするためブロック状に形成されている。このスライド部材６１の一側には、左右方向に対をなす軸受部６１ａ，６１ａが設けられており、各軸受部６１ａには横方向に貫通する孔が開口されている。これら軸受部６１ａ，６１ａの孔にはスリーブ６３がそれぞれ嵌合されていて、それらのスリーブ６３にガイド軸６０が摺動自在に挿通されている。
【００４４】
また、スライド部材６１の他側には、背面側に突出された軸受部６１ｂが設けられている。この軸受部６１ｂには、背面側に開口された軸受溝６４が設けられている。この軸受溝６４には、サブガイド軸３３が摺動可能に係合されている。更に、図６及び図７に示すように、軸受部６１ｂには板バネ６５が、固着手段の一具体例を示す取付ネジ及びナット６６によって取り付けられている。
【００４５】
この板バネ６５は、軸受溝６４とサブガイド軸３３との間に生ずるガタを吸収するためのもので、サブガイド軸３３の上面に圧接される押圧片６５ａを有している。この押圧片６５ａをサブガイド軸３３の上面に圧接することにより、軸受溝６４の下面がサブガイド軸３３の下面に押圧される。これにより、軸受溝６４とサブガイド軸３３との間のガタが吸収され、スライド部材６１の姿勢を一定に維持してスライド動作させることができる。
【００４６】
このスライド部材６１の左右の軸受部６１ａ，６１ａ間には、送りナット６７が取り付けられている。この送りナット６７は、送りネジ軸２６のネジ部２６ａに係合されるナット部６８と、このナット部６８を弾性的に支持する板状のバネ材によって形成された支持体６９とを有している。支持体６９は、ナット部６８を弾性的に支持する弾性片６９ａと、スライド部材６１の位置を検出するための位置検出片６９ｂとを有している。この支持体６９は、スライド部材６１の左右の軸受部６１ａ，６１ａ間の下面において固定ネジ５８ａによりネジ止めされている。この支持体６９の固定部より外側には弾性片６９ａが突出され、内側には位置検出片６９ｂが突出されている。
【００４７】
図５、図８及び図１４に示すように、弾性片６９ａは、中途部において上方に折り曲げられ、その折り曲げ部から先端側において横方向に延在され、その先端にナット部６８が固定されている。また、位置検出片６９ｂは、中途部において上方に折り曲げられ、その折り曲げ部から先端側において弾性片６９ａと同様に横方向に延在され、その先端部がスピンドルモータ２３側に突出して検出部とされている。
【００４８】
送りナット６７のナット部６８には、外向きに突出された互いに平行をなす２個の係合歯６８ａ，６８ａが設けられている。２個の係合歯６８ａ，６８ａは、送りネジ軸２６のネジ部２６ａのネジ山を両側から挟むようにして係合され、そのネジ部２６ａのリードに合わせて所定角度傾斜して形成されている。このような２個の係合歯６８ａ，６８ａを弾性片６９ａのバネ力でネジ部２６ａに内側から圧接するようにして送りネジ軸２６が、送りモータ２７と重なり合うように組み立てられている。
【００４９】
このような組立状態において、図４に示すように、ベースユニットサブシャーシ２２がモータ収納部３２を覆うように重ね合わされている。そして、４個の取付ネジ５８ｂによってベースユニットサブシャーシ２２がベースユニットシャーシ２１に取り付けられて固定されている。このとき、図５及び図９に示すように、送りネジ軸２６及びガイド軸６０は、ベースユニットサブシャーシ２２によってそれぞれ抑えられ、それぞれ第１の軸受部５５ａ，５５ｂ及び第２の軸受部５７ａ，５７ｂから抜け止めされている。
【００５０】
ベースユニットサブシャーシ２２は、図４及び図９〜図１２に示すように、モータ収納部３２を覆う上述した下面部２２ａと、この下面部２２ａの正面側に連続された正面壁部２２ｂと、同じく側面側に連続された側面壁部２２ｃとを有している。そして、側面壁部２２ｃには、送りネジ軸２６の一端を軸方向に押圧する押圧片７７が設けられている。この押圧片７７は、送りネジ軸２６を常に軸方向の一方に付勢して軸方向に生じるガタを吸収し、送りモータ２７の回転角及び回転数が正確に送りネジ軸２６に伝達されるようにしている。更に、ベースユニットサブシャーシ２２には、駆動ギア５４との干渉を避けるための開口窓５６ｂが設けられている。
【００５１】
上述した送りネジ軸２６と送りモータ２７と出力ギア４８及び駆動ギア５４と送りナット６７とによってヘッド送り機構が構成されている。このヘッド送り機構の作動により光学ピックアップ装置２５が、ターンテーブル２４に対して接近又は離反するように往復運動される。
【００５２】
光学ピックアップ装置２５の光学ピックアップ６２は、対物レンズ７０を光学ディスクＤの情報記録面に臨ませる２軸アクチュエータを有する光学ヘッド６２ａと、この光学ヘッド６２ａを介して情報信号の記録及び再生を行う半導体レーザや光電変換素子等を有する光学制御部６２ｂ等を備えている。
【００５３】
図１２及び図１３に示すように、光学ヘッド６２ａの大部分はヘッドカバー７１によって覆われており、このヘッドカバー７１に設けられた開口部７２から対物レンズ７０が露出されている。この光学ピックアップ６２は、スライド部材６１の上面に取り付けられたプリント配線基板７３と電気的に接続されている。そして、プリント配線基板７３に搭載された接続具７４にフレキシブル配線７５が接続され、このフレキシブル配線７５の他端が電源に接続されている。
【００５４】
また、図１３に示すように、モータベース板３６には、スライド部材６１が所定位置まで接近した状態を検出するための位置検出センサ７６が設けられている。この位置検出センサ７６にはスリット状の検出部７６ａが設けられている。この検出部７６ａに上述した支持体６９の位置検出片６９ｂが入り込むことにより、スライド部材６１が最もターンテーブル２４に近づいた状態を知ることができる。この位置検出センサ７６でスライド部材６１を検出することにより、ヘッド送り機構によるディスク半径方向内側への移動が停止される。この内側の停止位置が、光学ピックアップ装置２５の初期設定位置となる。
【００５５】
上述したベースユニットシャーシ２１、ベースユニットサブシャーシ２２、ターンテーブル２４、フィン４２、出力ギア４８及び駆動ギア５４の材質としては、例えば、ＡＢＳ樹脂、ポリアセタール（ＰＯＭ）、ポリカーボネート（ＰＣ）その他のエンジニアリングプラスチックが好適であるが、アルミニウム合金その他の金属を適用することもできる。また、スライド部材６１の材質としては、例えば、アルミニウム合金その他の金属が好適であり、ガイド軸６０、板バネ６５及び支持体６９の材質としては、例えば、ステンレス鋼その他の金属が好適であるが、エンジニアリングプラスチックを適用することもできる。
【００５６】
上述したような構成を有するディスクドライブ装置２０は、例えば、次のようにして簡単に組み立てることができる。このディスクドライブ装置２０の組立作業は、ベースユニットシャーシ２１を裏返しにした状態で行われる。この場合、スピンドルモータ２３、送りモータ２７及び光学ピックアップ装置２５は、予め所定の部分組立を済ませておくようにする。即ち、スピンドルモータ２３はモータベース板３６に取り付けておき、その回転部２３ｂにはターンテーブル２４を取り付けておく。送りモータ２７の回転軸２７ｂには、出力ギア４８及び回転板５１を取り付ける。また、スライド部材６１には光学ピックアップ６２を搭載しておくと共に送りナット６７及び板バネ６５も取り付けておくようにする。
【００５７】
まず、裏返しにされたベースユニットシャーシ２１のモータ収納部３２に送りモータ２７を差し込み、モータ本体２７ａを正面壁部２１ｂの外面部２１b1と横仕切り壁４６との間に挟み込む。そして、送りモータ２７のモータ軸受部２７ｃを、縦仕切り壁４７の切欠き４７ａ内に挿入する。
【００５８】
次に、フレキシブル配線７５ａによって送りモータ２７と連結された検出センサ５２をモータ収納部３２内の所定位置に取り付ける。即ち、側面壁部２１ｄの内面に設けた取付凸部５３に検出センサ５２の係合孔５２ｂを嵌め込む。これにより、検出センサ５２の組み立てが完了する。このとき、検出センサ５２の切欠き溝５２ａ内には、回転軸２７ｂに取り付けられた回転板５１の一部が入り込む。
【００５９】
次に、駆動ギア５４が取り付けられた送りネジ軸２６を送りモータ２７の上に重ね合わせるようにして、両端の軸部２６ｂ，２６ｃを第１の軸受部５５ａ，５５ｂに係合させる。これにより、送りネジ軸２６の組み立てが終了する。この際、駆動ギア５４は出力ギア４８に必然的に噛合される。
【００６０】
次に、スピンドルモータ組立体を組み立てる。まず、第２及び第３の支持凸部３７ｂ，３７ｃにコイルバネ３９をそれぞれ嵌め込む。次に、ベースユニットシャーシ２１の貫通孔２９内にターンテーブル２４を挿入し、第１及び第２の位置決め突起３８ａ，３８ｂをモータベース板３６の２個の位置決め孔３６ｂ，３６ｃに嵌合させる。そして、モータベース板３６の第１及び第２の孔に第１及び第２の調整ネジ４０ａ，４０ｂの軸部をそれぞれ挿通させ、各先部をネジ孔に螺合させて仮止めする。
【００６１】
次に、光学ピックアップ装置２５を組み立てる。まず、スライド部材６１の一側に設けた一対の軸受部６１ａ，６１ｂのスリーブ６３にガイド軸６０を挿通する。次に、対物レンズ７０をベースユニットシャーシ２１の開口部２８に向けた状態で、スライド部材６１の他側に設けた軸受部６１ｂの軸受溝６４をベースユニットシャーシ２１の背面側に設けたサブガイド軸３３に嵌め込む。このとき、板バネ６５の押圧片６５ａがサブガイド軸３３の下面に押圧され、この押圧片６５ａのバネ力によってサブガイド軸３３が挟持される。
【００６２】
この状態から、スライド部材６１をベースユニットシャーシ２１側に回動させ、スライド部材６１の一側に保持されているガイド軸６０の両端を第２の軸受部５７ａ，５７ｂにそれぞれ嵌め込む。このとき、スライド部材６１に取り付けられている送りナット６７のナット部６８が送りネジ軸２６のネジ部２６ａに噛合される。
【００６３】
次に、モータ収納部３２を覆うようにベースユニットシャーシ２１の上にベースユニットサブシャーシ２２を重ね合わせる。そして、所定数の取付ネジ５８ｂを用いてベースユニットサブシャーシ２２をベースユニットシャーシ２１に締付固定する。これにより、ディスクドライブ装置２０の組立作業が完了する。
【００６４】
このように、本実施例によれば、送りモータ２７、検出センサ５２、送りネジ軸２６及びガイド軸６０を逐次的に組み立てた後、ベースユニットサブシャーシ２２をベースユニットシャーシ２１に重ね合わせることにより、それだけで送りモータ２７、検出センサ５２、送りネジ軸２６及びガイド軸６０を所定位置にセットすることができる。そして、ベースユニットサブシャーシ２２のみをネジ止めすることにより、送りモータ２７等の個々の部品をネジ止めすることなく、ベースユニットシャーシ２１に固定することができる。従って、この種の装置における組立性を改善することができ、その生産性を向上することができる。
【００６５】
このような構成を有するディスクドライブ装置２０によれば、例えば、次のようにして光学ディスクＤの再生及び／又は記録操作を行うことができる。まず、ターンテーブル２４に光学ディスクＤを装着する。この作業は、次のようにして行うことができる。例えば、光学ディスクＤの外周縁の複数箇所を把持し、そのセンタ孔をターンテーブル２４の嵌合部２４ａに合わせる。そして、光学ディスクＤを軽く押圧して３個のロック爪２４ｃを後退させ、センタ孔を通過させる。これにより、センタ孔を通過した３個のロック爪２４ｃが、センタ孔の縁の３箇所に乗り上げることによりチャッキングが実行される。
【００６６】
次に、スピンドルモータ２３を駆動することにより、ターンテーブル２４と一体に光学ディスクＤを回転させる。これと同時に又はその後に続いて、ヘッド送り機構の送りモータ２７が駆動される。この場合、ヘッド送り機構は、光学ピックアップ装置２５を初期位置に設定するように動作される。即ち、送りモータ２７は、スライド部材６１をターンテーブル２４に近づける方向に回転駆動される。この送りモータ２７の回転力は、出力ギア４８から駆動ギア５４を介して送りネジ軸２６に伝達され、送りモータ２７の回転角度又は回転数に対応した角度又は回転数だけ送りネジ軸２６が回転駆動される。
【００６７】
その結果、送りネジ軸２６の回転によって送りナット６７が送りネジ軸２６の軸方向に移動する。そして、スライド部材６１がターンテーブル２４の所定位置まで近づくと、位置検出片６９ｂが位置検出センサ７６によって検出される。これにより、ヘッド送り機構の動作が停止され、この停止位置が光学ピックアップ装置２５の初期位置とされる。この状態を経て、情報信号の再生又は記録動作が実行される。
【００６８】
即ち、ヘッド送り機構の作動によってスライド部材６１が光学ディスクＤの半径方向内側から半径方向外側へ移動される。このとき、光学ピックアップ６２から発射されたレーザ光が、光学ヘッド６２ａの対物レンズ７０から光学ディスクＤの情報記録面に向けて照射される。その結果、再生時には、情報記録面に照射されたレーザ光によって予め記録されている情報信号が読み出され、その情報信号に基づいて再生動作が行われる。また、記録時には、情報記録面に照射されたレーザ光によって情報信号が書き込まれ、記録動作が行われる。
【００６９】
この場合、スピンドルモータ２３が駆動されると、その回転部２３ｂに固定されたターンテーブル２４と一体に形成された多数のフィン４２が一体に回転駆動される。このフィン４２は、ベースユニットシャーシ２１に形成された風通路３５内に配置されており、フィン４２の回転によって風通路３５の一方から空気が吸い込まれ、風通路３５の他方から空気が吐き出される。これにより、風通路３５内に空気の流れ（風）が発生し、この風が風通路３５の吐出し口から吐き出されてベースユニットシャーシ２１内に循環される。
【００７０】
このベースユニットシャーシ２１内を循環する風は、いずれも発熱源である光学ピックアップ６２、スピンドルモータ２３、送りモータ２７及びプリント配線基板７３等に吹き付けられる。その結果、フィン４２の回転によって発生する風により、発熱源である光学ピックアップ６２やスピンドルモータ２３等が冷やされ、これらの温度上昇を防ぐことができる。従って、発熱による機器の性能低下や性能劣化を防止することができ、レーザ光の照射を安定化させて、記録及び再生時の性能低下を押さえることができる。
【００７１】
上述したような構成及び作用、効果を有するディスクドライブ装置２０は、例えば、図１５〜図１９に示すような電子機器に装着して使用することができる。図１５及び図１６は、電子機器の一具体例を示すデジタルビデオディスクカメラである。このデジタルビデオディスクカメラ８０は、情報記録媒体として記録可能な光ディスクを使用し、デジタルスチルカメラの機能とビデオテープレコーダの機能とを合わせ持つ構成としたものである。
【００７２】
このデジタルビデオディスクカメラ８０は、図１７に示すような構成を有している。図１７において、８１はフォーカスリング、８２はレンズカバー、８３はレンズ組立体、８４は鏡筒カバー、８５は取付リング、８６は前カメラフレーム、８７は電子ビューファインダ、８８はファインダホルダ、８９はファインダリング、９０はファインダケース、９１はバッテリーホルダ、９２はバッテリー電源、９３ａ〜９３ｃはそれぞれ配線基板、９４はベースフレーム、９５は後カメラフレーム、９６は液晶表示装置、９７はディスク装着蓋である。
【００７３】
レンズ組立体８３は、複数枚の組み合わせレンズが収納されたレンズホルダ８３ａと、このレンズホルダ８３ａの対物レンズと反対側に配置された固体撮像素子（ＣＣＤ）８３ｂ等を有している。このレンズ組立体８３の対物レンズ側がレンズカバー８２によって覆われていて、その対物レンズの先端部にフォーカスリング８１が取り付けられている。レンズ組立体８３の固体撮像素子８３ｂ側の下部には鏡筒カバー８４が取り付けられている。この鏡筒カバー８４は、取付リング８５によって前カメラフレーム８６の筒体部８６ａに取り付けられている。そして、固体撮像素子８３ｂの上方には電子ビューファインダ８７が配設されている。
【００７４】
電子ビューファインダ８７は、ファインダホルダ８８に取り付けられており、その後方にはファインダリング８９が配置されている。このファインダリング８９を含む電子ビューファインダ８７の上下は、上下方向に二分割とされた上部カバー８９ａ及び下部カバー８９ｂによって覆われている。そして、電子ビューファインダ８７を含むファインダ全体は、ファインダケース９０により覆われている。これにより、余分な光が電子ビューファインダ８７内に入射されるのを防止している。
【００７５】
また、固体撮像素子８３ｂの後方には３枚の配線基板９３ａ〜９３ｃが前後方向へ重ね合わせるように配置されている。前側２枚の配線基板９３ａ，９３ｂはカメラ用の電子回路が設けられたものであり、後側１枚の配線基板９３ｃはドライブ用の電子回路が設けられたものである。この後配線基板９３ｃの後方に、ベースフレーム９４に取り付けられてディスクドライブ装置２０が配設されている。
【００７６】
このベースフレーム９４に対するディスクドライブ装置２０の取付手段は、図１８及び図１９に示すような構造によって行われている。即ち、ベースフレーム９４は、ディスクドライブ装置２０よりも平面形状が大きな板金製の板体からなる。このベースフレーム９４の周縁部には、カメラフレームに取り付けるための複数個の脚片９４ａが設けられている。更に、ベースフレーム９４の３箇所には、ディスクドライブ装置２０を支持するための支持片９４ｂが設けられている。３個の支持片９４ｂは、ディスクドライブ装置２０を三方から支持するように略均等に配置されていて、各支持片９４ｂにはゴム状弾性体によって形成されたインシュレータ９４ｃが取り付けられている。
【００７７】
このような支持片９４ｂを介してディスクドライブ装置２０を支持するため、ベースユニットシャーシ２１の３箇所には側方へ突出する支持アーム２１ｆが設けられている。各支持アーム２１ｆにはインシュレータ９４ｃがそれぞれ装着され、その装着状態において支持片９４ｂに係合することにより、ディスクドライブ装置２０がベースフレーム９４に弾性的に支持されている。
【００７８】
このベースフレーム９４に支持されたディスクドライブ装置２０は、後カメラフレーム９５の内側に取り付けられている。後カメラフレーム９５は前カメラフレーム８６と前後方向に重なり合う形状とされており、両カメラフレーム８６，９５を重ね合わせて組み立てることによってカメラ本体が構成されている。カメラ本体は、レンズ組立体８３等が収納される上述した筒体部８６ａと、この筒体部８６ａの一側に連続して形成された把持部８６ｂとを備えている。
【００７９】
図１６に示すように、把持部８６ｂの上部には、電源スイッチ９８ａとシャッタボタン９８ｂとが設けられている。また、筒体部８６ａの把持部８６ｂと反対側の側面には、フォーカススイッチ等が取り付けられたスイッチカバー９８ｃが取り付けられている。後カメラフレーム９５の背面には大きな開口部９５ａが設けられており、この開口部９５ａからディスクドライブ装置２０のターンテーブル２４側の面が大きく露出される。
【００８０】
開口部９５ａは、ヒンジによって後カメラフレーム９５に連結されたディスク装着蓋９７により開閉可能とされている。このディスク装着蓋９７には表示窓９７ａが設けられており、その表示窓９７ａには液晶表示装置９６が装着されている。このディスク装着蓋９７のロック及びロック解除は、後カメラフレーム９５の側面に設けられた開閉スイッチ９５ｂによって行うことができる。
【００８１】
また、カメラ本体の把持部８６ｂの内部には、バッテリーホルダ９１が収納されている。このバッテリーホルダ９１の前面にはバッテリーカバーが着脱可能に取り付けられており、バッテリーホルダ９１に対してバッテリー電源９２が着脱自在とされている。バッテリーホルダ９１には端子ホルダ９１ａが着脱自在に取り付けられており、端子ホルダ９１ａの着脱を経てバッテリー電源９２がバッテリーホルダ９１に着脱される。
【００８２】
このような構成を有するデジタルビデオディスクカメラ８０は、例えば、次のようにして使用することができる。この場合、情報記録媒体である光ディスクの取り付け・取り外し操作は、必要によりディスク装着蓋９７を開けて手動操作によって行う。即ち、ディスク装着蓋９７を開いて後カメラフレーム９５の開口部９５ａを開口させ、これにより露出されたディスクドライブ装置２０のターンテーブル２４に光ディスクを取り付け、又は予め装着されている光ディスクを取り外す。
【００８３】
このとき、ディスクドライブ装置２０に光ディスクを取り付けた後、ディスク装着蓋９７を閉じることにより撮影が可能となり、この撮影による映像情報や音声情報の記録を実行することができる。即ち、電源スイッチ９８ａを入れた後、シャッタボタン９８ｂを押すことにより、その撮影モードに応じて、一般のビデオカメラと同様に連続した映像を移したり、普通のカメラと同様に１枚毎の撮影を行うことができる。
【００８４】
尚、この実施例においては、ディスクドライブ装置２０をデジタルビデオディスクカメラ８０に適用した例について説明したが、次のような電子装置にも使用することができる。例えば、ＣＤプレーヤー、ＤＶＤプレーヤー、ＣＤ−ＲＯＭドライブ装置、ＤＶＤドライブ装置、ＣＤ−Ｒドライブ装置、ＣＤ−ＲＷドライブ装置、その他各種のディスクドライブ装置として適用することができるものである。即ち、記録再生兼用のディスク記録再生装置に適用できることは勿論のこと、記録又は再生の一方のみが可能なディスク記録装置又はディスク再生装置に適用することができるものである。
【００８５】
図２０〜図２８には、本発明のディスクドライブ装置の第２の実施例を示す。この実施例に示すディスクドライブ装置１００は、上述した第１の実施例に係るディスクドライブ装置２０の構成にモータカバー１０１を追加して設け、このモータカバー１０１をベースユニットサブシャーシ２２で押圧して送りモータ２７を固定するようにしたものである。このディスクドライブ装置１００が第１の実施例のディスクドライブ装置２０と異なるところはモータカバー１０１を追加して設けた点であるため、ここではモータカバー１０１及びこのモータカバー１０１に関連して変更された点について説明し、変更のない他の構成については同一符号を付して、その説明を省略する。
【００８６】
まず、モータカバー１０１について説明する。モータカバー１０１は、図２６、図２７及び図２８Ａ〜Ｄに示すような構成を有している。即ち、モータカバー１０１は、四角形の開口部１０４が略中央部に設けられた四角形の枠体からなるカバー本体１０２と、このカバー本体１０２の長手方向の一端においてこれと直交する幅方向に延在するように設けられたネック部１０３等を備えて構成されている。
【００８７】
カバー本体１０２のネック部１０３が突出する側の面には、Ｖ字状の凹部を長手方向に連続することによって形成されたモータ受け部１０５が設けられている。このモータ受け部１０５は、カバー本体１０２の長手方向の一端からネック部１０３の下まで延在されている。このモータ受け部１０５によってカバー本体１０２の幅方向の両側に、長手方向に連続する一対の押圧突条部１０６ａ，１０６ｂが形成されている。この一対の押圧突条部１０６ａ，１０６ｂの内面には、モータ受け部１０５による互いに外開きとなる勾配面１０７ａ，１０７ｂがそれぞれ設定されている。
【００８８】
更に、モータカバー１０１の一方の押圧突条部１０６ａのモータ受け部１０５と反対側の面には、ネック部１０３と反対側に突出する受圧突条部１０８が設けられている。受圧突条部１０８は、カバー本体１０２の長手方向の一端から他端まで延在されている。この受圧突条部１０８には、ベースユニットサブシャーシ２２が当接される。そのため、ベースユニットサブシャーシ２２には、図２１から図２５までに示すように、モータカバー１０１を送りモータ２７側に押圧する押圧突条１０９及び押圧突起１１０が設けられている。押圧突条１０９はモータカバー１０１の受圧突条部１０８に当接され、押圧突起１１０は第２の押圧突条部１０６ｂに当接される。
【００８９】
このような構成を有するモータカバー１０１は、例えば、次にようにして用いることができる。まず、裏返しにされたベースユニットシャーシ２１のモータ収納部３２に送りモータ２７を差し込み、モータ本体２７ａを正面壁部２１ｂの外面部２１b1と横仕切り壁４６との間に挟み込むと共に、モータ軸受部２７ｃを縦仕切り壁４７の切欠き４７ａ内に挿入する。
【００９０】
次に、モータカバー１０１を送りモータ２７の上に重ね合わせ、モータ収納部３２に蓋をするように装着する。このとき、モータカバー１０１のモータ受け部１０５内に送りモータ２７のモータ本体２７ａが嵌合され、また、縦仕切り壁４７に設けた切欠き４７ａの開口側がネック部１０３によって閉じられる。その結果、図２０〜図２３に示すように、モータカバー１０１のネック部１０３が送りモータ２７のモータ軸受部２７ｃに接触点Ｔ１によって当接され、この接触点Ｔ１を含む４点によってモータ軸受部２７ｃが切欠き４７ａ内に位置決めされて固定される。
【００９１】
次に、上述したように、検出センサ５２をモータ収納部３２内の所定位置に取り付ける。これは、側面壁部２１ｄの内面に設けた取付凸部５３に検出センサ５２の係合孔５２ｂを嵌め込むことによって行われる。このとき、検出センサ５２の切欠き溝５２ａ内には、送りモータ２７の回転軸２７ｂに取り付けた回転板５１の一部が入り込む。
【００９２】
次に、駆動ギア５４が取り付けられた送りネジ軸２６を、送りモータ２７を覆うように装着されたモータカバー１０１の上に重ね合わせるように取り付ける。即ち、送りネジ軸２６の両端の軸部２６ｂ，２６ｃを第１の軸受部５５ａ，５５ｂに係合させる。このとき、送りネジ軸２６に固定された駆動ギア５４が、回転軸２７ｂに固定された出力ギア４８に噛合される。これにより、送りネジ軸２６の組み立てが終了する。
【００９３】
次に、モータ収納部３２を覆うようにベースユニットサブシャーシ２２をベースユニットシャーシ２１の上に重ね合わせる。そして、所定数の取付ネジ５８ｂを用いてベースユニットサブシャーシ２２をベースユニットシャーシ２１に締付固定する。これにより、送りモータ２７と検出センサ５２とモータカバー１０１と送りネジ軸２６と一方のガイド軸６０との組立作業が完了する。
【００９４】
この第２実施例によれば、モータカバー１０１を１個追加して設けることにより、送りモータ２７をより一層確実且つ強固に固定することができ、落下時等の衝撃力によっても送りモータ２７がモータ収納部３２内を移動することがなく、衝撃に強いモータの支持構造を提供することができる。
【００９５】
この場合、図２３に示すように、モータカバー１０１にはベースユニットサブシャーシ２２の、接触点Ｔ２及びＴ３で示す２箇所が当接される。即ち、ベースユニットサブシャーシ２２の押圧突条１０９がモータカバー１０１の受圧突条部１０８に当接され、押圧突起１１０が押圧突条部１０６ｂに当接される。そして、モータカバー１０１のネック部１０３が送りモータ２７の中心となるモータ軸受部２７ｃに当接される。その結果、モータカバー１０１を介して送りモータ２７を、モータ収納部３２内の所定位置に確実且つ強固に固定することができ、送りモータ２７の全体の動きを防止して衝撃力に対しても動くことなく、所定位置に位置決めすることができる。
【００９６】
このように、第２の実施例によれば、送りモータ２７、モータカバー１０１、検出センサ５２、送りネジ軸２６及びガイド軸６０を逐次的に組み立てた後、ベースユニットサブシャーシ２２をベースユニットシャーシ２１に重ね合わせることにより、それだけで送りモータ２７や送りネジ軸２６等を所定位置にセットすることができる。そして、ベースユニットサブシャーシ２２のみをネジ止めすることにより、送りモータ２７等の個々の部品をネジ止めすることなく、ベースユニットシャーシ２１により強固に固定することができる。従って、この種の装置における組立性を改善することができ、その生産性を向上できると共に、衝撃に強いモータの支持構造を得ることができる。
【００９７】
上記実施例においては、情報記録媒体として光ディスクを用いた例について説明したが、光磁気ディスク、フロッピーディスク等の磁気ディスク、その他各種のディスク状記録媒体に適用することができることは勿論である。そして、光学ディスクの種類に応じてピックアップ装置についても同様に、光磁気ピックアップ装置、磁気ピックアップ装置等を適用することができる。このように、本発明は、その趣旨を逸脱しない範囲で種々変更できるものである。
【００９８】
【発明の効果】
以上説明したように、本出願のディスクドライブ装置によれば、ベースユニットシャーシに凹陥部と一対の軸受部とを有するモータ収納部を設け、このモータ収納部に送りモータを収納して組付けると共に、一対の軸受部に送りネジ軸を組付けた後、ベースユニットサブシャーシを取り付けて送りモータ及び送りネジ軸を押さえる構成としたため、ベースユニットサブシャーシをベースユニットシャーシに固定することにより、同時に送りモータ及び送りネジ軸を固定することができる。そのため、送りモータ、送りネジ軸、検出センサ及びガイド軸をベースユニットシャーシ等に固定するためのネジや軸受等を不要とすることができ、これら部品点数の削減による部品材料費、組立工数の削減によるコストダウンを図ることができる。しかも、ディスクドライブ装置の小型化、軽量化を図ることができるという効果を得ることができる。
【００９９】
また、上述した構成に加えてモータカバーを設ける構成とすることにより、上述した効果に加えて、衝撃力によっても送りモータが動くことなくしっかりと固定することができ、衝撃に強いモータ支持構造を備えたディスクドライブ装置を提供することができる。更に、平面方向の面積を小さくして装置全体の小型化を図ることができると共に、送りモータ及び送りネジ軸の組み立てと同時に回転数検出センサを固定することができるという効果が得られる。
【図面の簡単な説明】
【図１】本発明のディスクドライブ装置の第１の実施例を示すもので、上面側から見た斜視図である。
【図２】図１に示すディスクドライブ装置の平面図である。
【図３】図１に示すディスクドライブ装置の正面図である。
【図４】図１に示すディスクドライブ装置の底面図である。
【図５】図４に示すディスクドライブ装置の底面図からベースユニットサブシャーシを取り除いた要部を拡大して示す説明図である。
【図６】図４に示すディスクドライブ装置の底面図からモータベース板を取り除いた説明図である。
【図７】図１に示すディスクドライブ装置の要部を断面して示す背面図である。
【図８】図２に示すディスクドライブ装置のＷ−Ｗ線断面図である。
【図９】図２に示すディスクドライブ装置のＸ−Ｘ線断面図である。
【図１０】図１に示すディスクドライブ装置の左側面図である。
【図１１】図２に示すディスクドライブ装置のＹ−Ｙ線断面図である。
【図１２】図２に示すディスクドライブ装置のＺ−Ｚ線断面図である。
【図１３】図２に示すディスクドライブ装置からベースユニットシャーシを取り除いた平面図である。
【図１４】図１３のスピンドルモータ及び光学ピックアップ装置を示す正面図である。
【図１５】本発明のディスクドライブ装置が用いられたデジタルビデオディスクカメラの実施例を示す側面図である。
【図１６】本発明のディスクドライブ装置が用いられたデジタルビデオディスクカメラの実施例を示す平面図である。
【図１７】本発明のディスクドライブ装置が用いられたデジタルビデオディスクカメラの実施例を示す分解斜視図である。
【図１８】図１に示すディスクドライブ装置をベースフレームに取り付けた状態を示す平面図である。
【図１９】図１に示すディスクドライブ装置をベースフレームに取り付けた状態を示す正面図である。
【図２０】本発明のディスクドライブ装置の第２の実施例を示すもので、図９に対応した部分の断面図である。
【図２１】図２０に示すディスクドライブ装置のベースユニットサブシャーシの外面を示す一部を省略した断面図である。
【図２２】図２０に示すディスクドライブ装置における図１１に対応した部分の断面図である。
【図２３】図２２に示すディスクドライブ装置の要部を拡大して示す説明図である。
【図２４】図２０に示すディスクドライブ装置における図１２に対応した部分の断面図である。
【図２５】図２４に示すディスクドライブ装置の要部を拡大して示す説明図である。
【図２６】図２０に示すディスクドライブ装置に用いられるモータカバーの一実施例を示す底面側から見た斜視図である。
【図２７】図２６に示すモータカバーを平面側から見た斜視図である。
【図２８】図２６のモータカバーを示すもので、同図Ａは底面図、同図Ｂは正面図、同図Ｃは左側面図、同図Ｄは同図ＢのＶ−Ｖ線断面図である。
【図２９】従来のディスクドライブ装置を示す斜視図である。
【符号の説明】
２０，１００  ディスクドライブ装置、  ２１  ベースユニットシャーシ、  ２２  ベースユニットサブシャーシ、  ２３  スピンドルモータ、  ２４  ターンテーブル、  ２５  光学ピックアップ装置、  ２６  送りネジ軸、  ２７  送りモータ、  ２８  開口部、  ３２  モータ収納部、  ３３  サブガイド軸、  ３５  風通路、  ３６  モータベース板、  ４２，４２ａ  フィン、  ４３  プロペラ、  ４８  出力ギア、  ５４  駆動ギア、  ６０  ガイド軸、  ６１  スライド部材、  ６２  光学ピックアップ、  ６７  送りナット、  ８０  デジタルビデオディスクカメラ、  １０１  モータカバー、  １０２  カバー本体、  １０３  ネック部、  １０５  モータ受け部、  １０６ａ，１０６ｂ  押圧突条部、  １０７ａ，１０７ｂ  勾配面、  １０８  受圧突条部、  １０９  押圧突条、  １１０  押圧突起、  Ｄ  光学ディスク（ディスク状記録媒体）
【図１】
0004300713.tif 000002
【図２】
0004300713.tif 000003
【図３】
0004300713.tif 000004
【図４】
0004300713.tif 000005
【図５】
0004300713.tif 000006
【図６】
0004300713.tif 000007
【図７】
0004300713.tif 000008
【図８】
0004300713.tif 000009
【図９】
0004300713.tif 000010
【図１０】
0004300713.tif 000011
【図１１】
0004300713.tif 000012
【図１２】
0004300713.tif 000013
【図１３】
0004300713.tif 000014
【図１４】
0004300713.tif 000015
【図１５】
0004300713.tif 000016
【図１６】
0004300713.tif 000017
【図１７】
0004300713.tif 000018
【図１８】
0004300713.tif 000019
【図１９】
0004300713.tif 000020
【図２０】
0004300713.tif 000021
【図２１】
0004300713.tif 000022
【図２２】
0004300713.tif 000023
【図２３】
0004300713.tif 000024
【図２４】
0004300713.tif 000025
【図２５】
0004300713.tif 000026
【図２６】
0004300713.tif 000027
【図２７】
0004300713.tif 000028
【図２８】
0004300713.tif 000029
【図２９】
0004300713.tif 000030